(57)【要約】【課題】  対象者１のイメージに合わせて作詞（作曲）した歌（曲）により楽しめるようにする。対象者１にコミュニケーション障害があれば、その治療の支援に用いる。【解決手段】  対象者１に応じて選択自在のコミュニケーション手段１０と、対象者１に応じて選択自在のメニュー２０と、前記コミュニケーション手段１０により前記メニュー２０に沿って対象者１のエピソード５を聞き出す問診手段３０と、前記問診手段３０により聞き出したエピソード５を分析することにより、対象者１の心にある「こだわりの感情」を解明する心理分析手段４０と、前記「こだわりの感情」を前記対象者１に自覚させるキーワード及び／又は要約文をエピソード５の中から抽出する要約文抽出手段５０と、前記要約文抽出手段５０により抽出されたキーワード及び／又は要約文により作詞する作詞手段６０と、を備えたことを特徴とする。【選択図】      図１
2005122240.tif 000002
【特許請求の範囲】
【請求項１】
コミュニケーション障害をもつ対象者のエピソードに基づいて作詞作曲されたマイソングを前記対象者に提供することにより、前記対象者のコミュニケーション障害の治療を支援するようにしたコミュニケーション障害治療支援システムであって、
前記コミュニケーション障害治療支援システムは、前記対象者又は対象者を知る依頼者が用いる依頼者端末と、前記依頼者端末にインターネットを介して接続される施術サーバと、を備えて構成され、
前記施術サーバは、情報及び情報処理プログラムを記憶する記憶装置と、インターネット接続装置を含む入出力装置と、処理装置と、を有し、
前記記憶装置には前記入出力装置より入力された対象者のエピソードと前記処理装置から出力されるマイソングに関する情報を記憶し、
前記処理装置は前記情報処理プログラムが起動自在であり、
前記情報処理プログラムとしてメニュー提示プログラムと、問診表作成プログラムと、感情認識プログラムと、要約文作成プログラムと、作詞プログラムと、作曲プログラムと、を有し、
前記メニュー提示プログラムが実行されると対象者により選択自在のメニューが提示され、
前記問診表作成プログラムが実行されると前記メニューに沿って対象者のエピソードを記憶する問診手段と、
前記感情認識プログラムが実行されると前記問診手段により問診され記憶されたエピソードを分析することにより、対象者の心にある「こだわりの感情」を解明する心理分析手段と、
前記要約文作成プログラムが実行されると前記「こだわりの感情」を前記対象者に自覚させるキーワード及び／又は要約文を前記エピソードの中から抽出する要約文抽出手段と、
前記作詞プログラムが実行されると前記要約文抽出手段により抽出されたキーワード及び／又は要約文を用いて作詞する作詞手段と、
前記作曲プログラムが実行されると前記作詞手段により作詞された詩歌に適合させて作曲する作曲手段と、を備えたことを特徴とするコミュニケーション障害治療支援システム。
【請求項２】
対象者に応じて選択自在のコミュニケーション手段と、
対象者により選択自在のメニューと、
前記コミュニケーション手段により前記メニューに沿って対象者のエピソードを聞き出す問診手段と、
前記問診手段により聞き出したエピソードを分析することにより、対象者の心にある「こだわりの感情」を解明する心理分析手段と、
前記「こだわりの感情」を前記対象者に自覚させるキーワード及び／又は要約文を前記エピソードの中から抽出する要約文抽出手段と、
前記要約文抽出手段により抽出されたキーワード及び／又は要約文により作詞する作詞手段と、を備えたことを特徴とするコミュニケーション障害治療支援システム。
【請求項３】
前記作詞手段により作詞された詩歌に適合させて作曲する作曲手段を備えたことを特徴とする請求項２に記載のコミュニケーション障害治療支援システム。
【請求項４】
対象者に応じてコミュニケーション手段を選択するコミュニケーション手段選択段階と、
対象者によりメニューを選択するメニュー選択段階と、
前記コミュニケーション手段により前記メニューに沿って対象者のエピソードを聞き出す問診段階と、
前記問診手段により聞き出したエピソードを分析することにより、対象者の心にある「こだわりの感情」を解明する心理分析段階と、
前記「こだわりの感情」を前記対象者に自覚させるキーワード及び／又は要約文を前記エピソードの中から抽出する要約文抽出段階と、
前記要約文抽出手段により抽出されたキーワード及び／又は要約文により作詞する作詞段階と、を備えたことを特徴とするコミュニケーション障害治療支援方法。
【請求項５】
前記作詞段階により作詞された詩歌に適合させて作曲する作曲段階を備えたことを特徴とする請求項４に記載のコミュニケーション障害治療支援方法。
【発明の詳細な説明】
【技術分野】
【０００１】
本発明は、心理カウンセリング、特にコミュニケーション障害治療の支援を目的として、対象者の「感情的こだわり」を言葉で抽出したイメージに応じて作詞作曲し、その歌を楽しむことにより、コミュニケーション障害の原因となっていた「感情的こだわり」を解消するようにしたコミュニケーション障害治療支援システム及びその方法に関する。
【背景技術】
【０００２】
コミュニケーション障害の一形態として、「引きこもり」がある（以下、東京新聞２００３年７月２９日の朝刊記事から紹介）。これは、本人が生活範囲を自宅中心に減縮し、就学・就労といった社会参加ができないか、あるいはしていない状態が６ヶ月以上継続している者をさす。具体的には、「昼夜逆転」の生活、コミュニケーションを拒絶する「家族への拒否」、暴力的な態度に出る「脅迫的な行為」、女性には過食や拒食といった「食行動異常」が顕著である。
【０００３】
前記「引きこもり」に関する調査が、国立精神・神経センター精神保健研究所（千葉県市川市）と厚生労働省が当年３月、全国の保健所・精神保健福祉センターを通じて行われ、詳細な調査結果が、２００３年７月２８日に発表された。調査は、昨年１年間本人又は家族が２回以上これらの施設を訪れ、直接相談を行った４，０８３事例の中から３，２９３人について調べた内容を集計した結果がある。
【０００４】
前記調査の結果に対する主な問題提起は、第一に問題が起きてから相談まで１０年以上という人が４人に一人とあるように、症状が慢性化しても、相当の長期間にわたって相談していないこと、第二に本人の平均年齢が２６．７歳、３０歳以上が３０％を越していることからわかるように「引きこもり」が高齢化していることがある。高齢化の原因は「引きこもり」を相談し難く、治療の仕方もわからず、症状が慢性化し、回復困難に到った結果と推定される。
このような理由で、今後、地域社会を含めた社会復帰への支援システムの整備が望まれている。
【０００５】
そこで、心理カウンセリングを容易に受けることが可能な心理分析システムとして、対象者が対象者コンピュータ装置にて心理分析対象情報を作成し、インターネットを介してサーバコンピュータ装置に送信する過程と、サーバがサーバコンピュータ装置からインターネットを介して複数の分析者コンピュータ装置に前記対象者作成の心理分析・対象情報を送信する過程と、複数の分析者の内のいずれかの分析者が自己の分析者コンピュータ装置にて取得した前記心理分析・対象情報を元に当該対象者１の心理分析を実行し、分析結果情報をインターネットを介して対象者コンピュータ装置に送信する過程と、サーバが対象者１に対してインターネットを介して分析依頼一件毎に課金する過程とを有するものがあった（例えば特開２００３−４４５８３号公報）。
【０００６】
又、臨床心理士等が対象者１に接見し、心理カウンセリング、特にコミュニケーション障害治療の支援を目的として、対象者１の「感情的こだわり」を聞き取って抽出する手法は周知であるが、抽出した生の言葉を、ある程度読み易く文章化することが、治療支援の管理上も望ましいにもかかわらず、わかりやすく簡潔な要約文の作成は手間のかかる作業であった。
【０００７】
このような理由で、対象者から聞き出した複数の課題を含む生の音声又は会話記録メモから、冗漫さを削り落として簡潔明瞭な要約文を作成できるようにした要約文作成システムを用いれば、コミュニケーション障害に対する治療支援の最終段階の作詞作曲が容易になるので機械化も可能である。
【０００８】
そこで、前記要約文作成システムとして、各文内に含まれる名詞や形容動詞等に限定した単語別の使用頻度等により決まる単語の重み付けを比較することにより、前記文章に含まれる単語別の重要度を計算し、前記文章ベクトルに対する各文毎のベクトルをベクトル内積計算値、前記文章ベクトルに近い度合いを比較し、それに応じて、複数の文に対する重要性を序列付けて重要性を識別し、前記文章ベクトルから重要性の高い順にベクトル減算することにより順次新たな文章ベクトルを生成し、その新たな文章ベクトルに所定の要約率による要約及び補正をし、要約された複数の文を元通りの順番に整列させ接続詞及び指示代名詞を削除又は指定語句へ変換することにより、自然さを確保するものがあった（例えば特開２００２−２９７６３５号公報）。
【０００９】
又、電子文書が有する感情を自動的に判定することのできると共に、その判定の精度が高くなる「感情認識システム」があった（例えば特開２００２−２３００１１号公報）。
【００１０】
又、音声認識システムにおいて話者の感情のレベルを認識することのできる「音声感情認識システムおよび方法」があった（例えば特開平１１−１１９７９１号公報）。
【００１１】
そして、文章断片又は単語を歌詞生成用データとして入力することで、誰にでも手軽に作詞作曲を行うことができ、更に、作成した楽曲が収録されたＣＤ等の物理的記憶媒体の作成を簡易に行えるように、通信ネットワークを介してクライアントに接続されるサーバ装置が、クライアントから作詞パラメータを受信し、該受信した作詞パラメータに基づき自動作詞する自動作詞手段と、クライアントから作曲パラメータを受信し、該受信した作曲パラメータに基づき自動作曲する自動作曲手段と、自動作詞手段及び自動作曲手段で生成した歌詞情報及び曲情報を、クライアントに固有の創作楽曲のファイルとして物理的記憶媒体に記録する手段を具備しており、この作成した物理的記録媒体をクライアントに提供するようにしたものがあった（例えば特開２００３−１９５８６６号公報）。
【００１２】
なお、コミュニケーション障害の原因を対象者が自覚することにより、解消することが一般的に知られている。また、意思疎通の手段である言葉には、その言葉を発した本人の行動をコントロールする機能もあり、言葉で自分の気持ちを表現することによって問題を解決できることが多い。そして、ひととおり言語化されると、言葉の連想により障害の解決方法を順次模索し、コミュニケーション障害の治療に寄与するとされていた。
【特許文献１】特開２００３−４４５８３号公報（全文、図２）
【特許文献２】特開２００２−２９７６３５号公報（段落００２８〜００４０、図２）
【特許文献３】特開２００２−２３００１１号公報（段落００３３〜００３５、図６，８）
【特許文献４】特開平１１−１１９７９１号公報（段落００７０〜００７３、図６）
【特許文献５】特開２００３−１９５８６６号公報（段落０００４〜０００５、図２，５）
【非特許文献１】東京新聞２００３年７月２９日の朝刊（第１面の右上段）
【発明の開示】
【発明が解決しようとする課題】
【００１３】
しかしながら、対象者の「感情的なこだわり」が絡んで行き詰まった問題点を言葉にするための具体的な手段に関しては、専門的な知識と経験に裏付けられた臨床心理士等の技量に委ねるところが多く、社会問題化するほど多数の人が罹患したコミュニケーション障害の治療を支援できる人材には限りがあった。
【００１４】
さらに、この種の心理カウンセリング・精神治療の手段及び効果に対する偏見、誤解、不信感もあり、単にインターネット対応するのみでは、早期解決も進まなかった。
【００１５】
そこで、本発明では前記した問題を解決し、特殊技能を備えた専門家でなくとも、簡単な訓練を受けた施術者又は完全自動化された無人の施術サーバが対応することにより、対象者のコミュニケーション障害の治療を支援することが可能であるほか、拒絶反応が少なくて一般受けするような、例えば「作詞作曲請負業」といった別業種の営業形態の実施による副次効果を得るためにも活用できるコミュニケーション障害治療支援システム及びその方法を提供することを目的とする。
【課題を解決するための手段】
【００１６】
前記課題を解決する、請求項１に係る発明は、コミュニケーション障害をもつ対象者のエピソードに基づいて作詞作曲されたマイソングを前記対象者に提供することにより、前記対象者のコミュニケーション障害の治療を支援するようにしたコミュニケーション障害治療支援システムであって、前記コミュニケーション障害治療支援システムは、前記対象者又は対象者を知る依頼者が用いる依頼者端末と、前記依頼者端末にインターネットを介して接続される施術サーバと、を備えて構成され、前記施術サーバは、情報及び情報処理プログラムを記憶する記憶装置と、インターネット接続装置を含む入出力装置と、処理装置と、を有し、前記記憶装置には前記入出力装置より入力された対象者のエピソードと前記処理装置から出力されるマイソングに関する情報を記憶し、前記処理装置は前記情報処理プログラムが起動自在であり、前記情報処理プログラムとしてメニュー提示プログラムと、問診表作成プログラムと、感情認識プログラムと、要約文作成プログラムと、作詞プログラムと、作曲プログラムと、を有し、前記メニュー提示プログラムが実行されると対象者により選択自在のメニューが提示され、前記問診表作成プログラムが実行されると前記メニューに沿って対象者のエピソードを記憶する問診手段と、前記感情認識プログラムが実行されると前記問診手段により問診され記憶されたエピソードを分析することにより、対象者の心にある「こだわりの感情」を解明する心理分析手段と、前記要約文作成プログラムが実行されると前記「こだわりの感情」を前記対象者に自覚させるキーワード及び／又は要約文を前記エピソードの中から抽出する要約文抽出手段と、前記作詞プログラムが実行されると前記要約文抽出手段により抽出されたキーワード及び／又は要約文を用いて作詞する作詞手段と、前記作曲プログラムが実行されると前記作詞手段により作詞された詩歌に適合させて作曲する作曲手段と、を備えたことを特徴とするコミュニケーション障害治療支援システムである。
【００１７】
請求項１に係る発明によれば、コミュニケーション障害治療支援システムは、コミュニケーション障害をもつ対象者のエピソードに基づいて作詞作曲されたマイソングを前記対象者に提供することにより、コミュニケーション障害の治療を支援することができる。あるいは、作曲を省略しても類似の効果が得られる。
【００１８】
すなわち、コミュニケーション障害治療支援システムは、依頼者端末（以下「パソコン」ともいう）からインターネットを介して対象者のエピソードを入力され、対象者の心にある「こだわりの感情」を解明する心理分析手段により喜怒哀楽の感情を分析し、要約文抽出手段により対象者に「こだわりの感情」を自覚させるキーワード及び／又は要約文をエピソードの中から抽出する。
【００１９】
作詞手段により、前記「こだわりの感情」を含んだキーワード及び／又は要約文を用いて作詞され、作詞された詩歌に適合させて作曲手段が作曲するので、インターネットを介してパソコンからマイソングを対象者に提供できる。
【００２０】
請求項２に係る発明は、対象者に応じて選択自在のコミュニケーション手段と、対象者により選択自在のメニューと、前記コミュニケーション手段により前記メニューに沿って対象者のエピソードを聞き出す問診手段と、前記問診手段により聞き出したエピソードを分析することにより、対象者の心にある「こだわりの感情」を解明する心理分析手段と、前記「こだわりの感情」を前記対象者に自覚させるキーワード及び／又は要約文を前記エピソードの中から抽出する要約文抽出手段と、前記要約文抽出手段により抽出されたキーワード及び／又は要約文により作詞する作詞手段と、を備えたことを特徴とするコミュニケーション障害治療支援システムである。
【００２１】
請求項２に係る発明によれば、メニューを施術する者は、対象者にストレス対処法や、自分の感情や問題点を言葉にする方法、すなわち、対象者が自ら問題点を解決する技術を身に付けるように仕向けることができる。なぜならば、要約文抽出手段によりエピソードの中から抽出されたキーワード及び／又は要約文は、対象者に「こだわりの感情」の原因を自覚させる作用効果をもつからである。
【００２２】
メニューが実行されると、要約文抽出手段により抽出されたキーワード及び／又は要約文に同一又は類似の音韻を定位置に反復させるように韻を踏んだ詞歌が作詞手段により作詞される。あるいは音韻にとらわれず自由に作詞してもかまわない。
【００２３】
この詩歌は、前記対象者にとって、「こだわり感情」をより明確に、かつ心地よく、繰り返して自覚を促すことができる。そうすることにより、対象者は、コミュニケーション障害の原因が何であったかを自覚し、抵抗無く解消できる。
【００２４】
このようにして、対象者の症状に応じて最適に選択されたメニューを実行するにより、臨床心理士等の専門家でなくとも、簡単な訓練を受けた施術者が本システムを用いることによって、対象者のコミュニケーション障害の治療を支援することが可能であり、社会問題化するほど多数の人が罹患したコミュニケーション障害の治療を促進できる。
【００２５】
さらに、この種の心理カウンセリング・精神治療の手段及び効果に対する偏見、誤解、不信感もあるとすれば、より拒絶反応が少なく一般受けするような、例えば「作詞作曲請負業」といった別業種による実施形態に伴う副次効果を得るようにすることも可能である。
【００２６】
また、請求項３に係る発明は、前記作詞手段により作詞された詩歌に適合させて作曲する作曲手段を備えたことを特徴とする請求項２に記載のコミュニケーション障害治療支援システムであり、前記作詞手段により作詞された詩歌にメロディーのついた歌を、対象者及び／又は関係者が歌うことにより、対象者自身にあった「こだわり感情」が薄れ、周囲の共感を呼び起こす等により、コミュニケーション障害を解消できる。
【００２７】
請求項４に係る発明は、対象者に応じてコミュニケーション手段を選択するコミュニケーション手段選択段階と、対象者によりメニューを選択するメニュー選択段階と、前記コミュニケーション手段により前記メニューに沿って対象者のエピソードを聞き出す問診段階と、前記問診手段により聞き出したエピソードを分析することにより、対象者の心にある「こだわりの感情」を解明する心理分析段階と、前記「こだわりの感情」を前記対象者に自覚させるキーワード及び／又は要約文を前記エピソードの中から抽出する要約文抽出段階と、前記要約文抽出手段により抽出されたキーワード及び／又は要約文により作詞する作詞段階と、を備えたことを特徴とするコミュニケーション障害治療支援方法である。
【００２８】
請求項４に係る発明によれば、請求項２に係る発明と同等の作用効果がある。
【００２９】
請求項５に係る発明は、前記作詞段階により作詞された詩歌に適合させて作曲する作曲段階を備えたことを特徴とする請求項４に記載のコミュニケーション障害治療支援方法である。
【００３０】
請求項５に係る発明によれば、請求項３に係る発明と同等の作用効果がある。
【発明の効果】
【００３１】
本発明によれば、臨床心理士等の専門家でなくとも、簡単な訓練を受けた施術者又は、インターネットに接続された施術サーバが対応することによって、対象者の「こだわり感情」をより明確に、かつ心地よく、繰り返して自覚を促す効果のある歌を作って聞かせることができる。そうすることにより、対象者のコミュニケーション障害の治療を支援できる。
【００３２】
さらに、この種の心理カウンセリング・精神治療の手段及び効果に対する偏見、誤解、不信感もあるとすれば、より拒絶反応が少なく一般受けするような、例えば「作詞作曲請負業」といった別業種による実施形態に伴う副次効果を得るようにすることも可能である
【発明を実施するための最良の形態】
【００３３】
次に、本発明の実施形態について、適宜図面を参照しながら詳細に説明する。図１は、本発明に係るコミュニケーション障害治療支援システム１００（以下、「本システム１００」ともいう）の構成図である。
【００３４】
本システム１００は、コミュニケーション障害をもつ対象者１のエピソード５に基づいて作詞作曲されたマイソング６を対象者１に提供することにより、コミュニケーション障害の治療を支援するものであり、対象者１の介護者を含む依頼者２が用いるパソコン３と、このパソコン３にインターネット４を介して接続される施術サーバ９０と、により構成されている。
【００３５】
図１では対象者１は依頼者２にパソコン３の操作を含めて、本システム１００による治療支援を依頼している状態を示している。このように、依頼者２は対象者１をよく知る身近な者であり、対象者１を介護し保護する後見人のような存在であり、不要な場合は省略しても構わない。以下の説明では対象者１と依頼者２が同一人物であり対象者１が直接にパソコン３を操作し、インターネット４を介して施術サーバ９０にアクセスし、自主的に治療目的を達成するものとしている。
【００３６】
施術サーバ９０は、情報及び情報処理プログラムを記憶する記憶装置７と、インターネット接続装置を含む入出力装置８と、処理装置９と、を有しており、無人運営も可能であるが、有人運営するならば、入出力装置８には図示しないキーボード、表示装置及びプリンタを備えて操作の便を図る。
【００３７】
さらに施術サーバ９０には、メニュー２０を構成するメニュー提示プログラム、問診手段３０を構成する問診表作成プログラム、心理分析手段４０を構成する感情認識プログラム、要約文抽出手段５０を構成する要約文作成プログラム、作詞手段６０を構成する作詞プログラム、作曲手段７０構成する作曲プログラムのほか、図示せぬホームページ掲載手段及び課金手段等を備えている。
【００３８】
記憶装置７には対象者１のエピソード５とマイソング６に関する情報が入出力自在に記憶可能であり、施術サーバ９０は、対象者１からインターネット４を介してエピソード５の入力を受け、逆に施術サーバ９０は、対象者１へインターネット４を介してマイソング６を提供する。マイソング６はエピソード５に基づいて施術サーバ９０が作成する。
【００３９】
処理装置９では情報処理プログラムが起動自在であり、その情報処理プログラムとしてメニュー提示プログラムと、問診表作成プログラムと、感情認識プログラムと、要約文作成プログラムと、作詞プログラムと、作曲プログラムと、を有している。
【００４０】
メニュー提示プログラムが実行されると対象者１の状況に応じて選択自在のメニュー２０が、図２に沿って後記するように提示される。
【００４１】
問診表作成プログラムが実行されると、問診手段３０が実現し、メニュー２０に沿って対象者１が問診に答えたエピソード５を記憶装置７が記憶する。
【００４２】
感情認識プログラムが実行されると問診手段３０により問診されたエピソード５を、心理分析手段４０が喜怒哀楽の感情を分析することにより、対象者１の心にある「こだわりの感情」を解明する。
【００４３】
要約文作成プログラムが実行されると、要約文抽出手段５０が実現し、前記「こだわりの感情」を対象者１に自覚させるキーワード及び／又は要約文をエピソード５の中から抽出する。
【００４４】
作詞プログラムが実行されると、作詞手段６０が実現し、要約文抽出手段５０により抽出されたキーワード及び／又は要約文を用いて作詞する。引き続き、作曲プログラムが実行されると、作曲手段７０が実現し、作詞手段６０により作詞された詩歌に適合させて作曲する。
【００４５】
このようにして、施術サーバ９０は、対象者１からインターネット４を介してエピソード５の入力を受け、エピソード５に基づいて施術サーバ９０がマイソング６を作成し、施術サーバ９０は、対象者１へインターネット４を介してマイソング６を提供する。
【００４６】
なお、前記「施術者」は、「対応する人」もしくはインターネット接続された「施術サーバ」又は「施術サーバの管理者」を意味する。「施術サーバ」は無人化も可能である。
【００４７】
又、本発明にいう「問診」は、広義に解釈して施術者が対象者１のイメージをつかむためにする法的に許容される範囲内の質疑応答の行為全般を意味するので、狭義に解釈して医師又は臨床心理士等（以下、「臨床心理士等」という）が患者の病状を把握するために既往症、現病歴、現在の状態などを尋ねることも含む。なお、有資格者であれば前記「問診」に関連する質疑応答及びカウンセリングの行為を診療行為又は治療行為と称することができる。
【００４８】
そして、「コミュニケーション障害」とは、前記「引きこもり」、「昼夜逆転」の生活、「家族への拒否」、暴力的な態度に出る「脅迫的な行為」、過食や拒食といった「食行動異常」を意味する。
【００４９】
なお、「エピソード」とは、対象者１の思い出を形成した生育環境、非日常的な体験、日常生活等に関するある事柄について、それを具体的に示す、ちょっとした出来事、又は、その話をさす一般的な意味に用いており、「音楽専門用語」としての「エピソード」を意味するものではない。
【００５０】
又、「こだわり感情」を解明するためには、要約文抽出手段５０により、前記「こだわりの感情」を問診結果の中から、キーワード及び／又は要約文として抽出し、対象者１に自覚を促すように仕向ける。
【００５１】
そして、対象者１の「感情的なこだわり」が絡んで行き詰まった問題点を言葉にすれば、言葉の連想により他の解決方法を模索し、代替手段を思いつく可能性が高くなる。なお、このような手法が効果的に作用することは精神病理学で周知である。
【００５２】
このように、メニュー２０を施術する者は、対象者１にストレス対処法や、自分の感情や問題点を言葉にする方法、すなわち、対象者が自ら問題点を解決する技術を身に付けるように仕向けることができる。
【００５３】
メニュー２０が実行されると、要約文抽出手段５０により抽出されたキーワード及び／又は要約文に同一又は類似の音韻を定位置に反復させるように韻を踏んだ詞歌が作詞手段６０により作詞される。
【００５４】
この詩歌は、前記対象者１にとって、「こだわり感情」をより明確に、かつ心地よく、繰り返して自覚を促すことができる。そうすることにより、対象者は、コミュニケーション障害の原因が何であったかを自覚し、抵抗無く解消できる。
【００５５】
このようにして、対象者１の症状に応じて最適に選択されたメニュー２０を実行するにより、臨床心理士等の専門家でなくとも、簡単な訓練を受けた施術者が本システム１００を用いることによって、対象者１のコミュニケーション障害の治療を支援することが可能であり、社会問題化するほど多数の人が罹患したコミュニケーション障害の治療を促進できる。
【００５６】
さらに、この種の心理カウンセリング・精神治療の手段及び効果に対する偏見、誤解、不信感もあるとすれば、より拒絶反応が少なく一般受けするような、例えば「作詞作曲請負業」といった別業種による実施形態に伴う副次効果を得るようにすることも可能である。
【００５７】
対象者１がパソコン３を操作し、インターネット４を介して施術サーバ９０にアクセスすることにより、施術サーバ９０に具備された機能を利用することが可能となる。
なお、ホームページ掲載手段、ホームページ閲覧手段、課金手段及びプライバシー保持手段等に関しては、インターネット電子商取引等で周知事項のため、更なる説明は省略し、対象者１がパソコン３を操作して当該ホームページを見開きし、本システム１００の利用を開始するところから説明する。
【００５８】
以下に、施術サーバ９０の各構成要素とそれらの動作に関し、図２〜４を用いて順次説明する。
図２は、パソコン３の表示装置に表示されたメニュー２０の画面図である。メニュー２０は、対象者１の希望に応じて、図示せぬ施術者の判断により、コミュニケーション手段１０として電子メールが選択された結果、対象者１が閲覧可能に表示される。施術者の判断とは、対象者１がパソコン３を操作して当該ホームページを見開きし、本システム１００を利用できるとの判断である。
【００５９】
なお、コミュニケーション手段１０は電子メールのほか、対象者１の希望に応じて、例えば、電話、ＦＡＸ又は面談等を選択できるが、これらの説明は施術者の対応も含めて省略し、施術サーバ９０による無人対応に関してのみ説明する。
【００６０】
メニュー２０は、施術サーバ９０が、対象者１の個性又は特質に応じたメニュー２０、例えば、「自己紹介歌詞の制作のみ」を要望するか、「自分の心の歌を作ってＣＤに収録する」までの要望等の区別、あるいは「軽度のうつ病」「引きこもり」「長期重症」等の症状の区別に関し、周知のマウスクリック操作によりチェック・マークを入れる。
なお、コミュニケーション障害のない人であっても、「自己紹介歌詞の制作のみ」又は「自分の心の歌を作ってＣＤに収録する」ように要望することが可能であり、本システム１００はそのような利用方法にも対応できるようになっている。
【００６１】
図２に示したメニュー２０では、「自分の心の歌を作ってＣＤに収録する」までの要望とし、対象者１には「軽度のうつ病」があり、「その他」で示す備考欄には「他人とのコミュニケーションに苦痛を伴う」との自己申告が記入されている。
【００６２】
図３はパソコン３の表示装置に表示された問診表の画面図であり、この問診表は、複数のパターンが用意されており、図２に示したメニュー２０への記入内容に応じて選択されたパターンである。すなわち、「軽度のうつ病」があり、「他人とのコミュニケーションに苦痛を伴う」との自己申告があれば、図３に示した問診表を選択して用いており、これは「引きこもり」「長期重症」等の症状のある場合に比べて、簡素な内容である。
【００６３】
なお、図３に示した問診表は、説明の便宜上、簡潔に表現した架空の例に過ぎず、実例は図５〜７に関連して後記する《効果的な適用例１〜３》に示す実例における要点を、対象者から要領よく問診できるような形式であれば、いかようにも変形して実施することができる。特に「体験エピソード」等から対象者１の「こだわり感情」の原因が抽出できることが望ましい。
【００６４】
逆にコミュニケーション障害等のない人に対する問診は、臨床心理士等が患者の病状を把握するために既往症、現病歴、現在の状態などを尋ねる狭義の問診でなく、広義に解釈して施術サーバ９０が対象者１のイメージをつかむためにする質疑応答の行為全般を意味している。従って、対象者１の生育環境、体験談、日常生活状況に関するキーワード又は要約文５を引き出すようにする。
【００６５】
又、メニュー２０の項目には「コミュニケーション障害」に派生する「引きこもり」、「昼夜逆転」の生活、「家族への拒否」、暴力的な態度に出る「脅迫的な行為」、過食や拒食といった「食行動異常」等の症状を予め記入しておき、マウスクリックにより選択自在にしておくと使いやすくなる。
【００６６】
そして、前記マウスクリックにより選択された症状に対応するように、問診表作成プログラムに含まれている演算プログラムの演算結果に応じて、異なる複数パターンの問診表が表示されるようにリンクされていると好ましい。さらに理想的には、対象者１に過度の負担を強いることなく、その心理を迅速的確に把握し、合理的に心理分析できるだけの情報収集を可能にすべく、専門的な創意工夫による複数パターンの問診表を、臨床心理士等に作成依頼して用意し、前記演算プログラムも連動自在にするとよい。
【００６７】
図３に示した問診表の下段の枠には、対象者１が「自己評価」「生育環境」「体験エピソード」「悩み等」に関して、自由に心情を吐露するように、記入欄が設けてあり、インターネット掲示板等で周知の技術により、マウスクリック操作でスクロール等しながら、相当の長い文章の記入も可能なように構成されている。
【００６８】
ここで、問診表のそれぞれの枠に記入された文言又は文章に対して、例えば特開２００２−２３００１１号公報に開示された「感情認識システム」を用いれば、文言ごとに又は文章別に、あるいは全体的に「喜怒哀楽」を始めとする、感情の識別が可能である。このような感情認識プログラムにより心理分析手段４０を構成している。
【００６９】
又、コミュニケーション手段１０として、電子メール以外の手段を用いた場合は、対象者１から聞き出した生の音声又は会話記録メモを、例えば特開平１１−１１９７９１号公報に開示された「音声感情認識システムおよび方法」により、話者の感情のレベルを認識する技術も周知であるので適宜併用すればよい。
【００７０】
心理分析手段４０は、臨床心理士等が対象者１に接見して心理カウンセリングするように、対象者１にとって、コミュニケーション障害の原因と考えられる「感情的こだわり」を、会話の中から聞き取って抽出することが目的である。従って、「喜怒哀楽」の「感情的こだわり」が、所定レベル以上で認識されるキーワードに着目するようにマークしておく。
【００７１】
図３に示した問診表の下段の枠内に記入された文言に関しては、「優等生」と「愛情」は「嫉妬」、「海」と「江ノ島」は「懐かしさ」、「ヨット」と「世界一周」は「楽しみ」と分析し、後ほど説明する「作詞パラメータ」として用いる。又、「フォークソング」は後ほど説明する「作曲パラメータ」として用いるのでその旨をマークしておく。このように電子文書が有する感情を自動的に判定することを、コンピュータ・プログラムでなる心理分析手段４０により機械化して無人対応も可能である。
【００７２】
ここで、前記問診表の下段の枠に、複数の課題を含むような長い文章が記入された場合、例えば特開２００２−２９７６３５号公報に開示された「要約文作成システム」を用いれば、冗漫さを削り落として簡潔明瞭な要約文を作成できる。又、生の音声を電子文書化する手段は周知であるので、電子文書化した後に、長い文章から簡潔明瞭な要約文にすればよい。
【００７３】
このようにして、施術サーバ９０に具備された、要約文抽出手段５０を構成する要約文作成プログラムにより、対象者１から抽出した生の言葉を、ある程度読み易く文章化しておくことは、治療支援の管理上からも望ましい。
【００７４】
作詞手段６０を構成する作詞プログラム、作曲手段７０を構成する作曲プログラムに関しては、例えば特開２００３−１９５８６６号公報に開示された「通信ネットワークを介して自動作詞・作曲された音楽媒体を提供するシステム及びプログラム」を用いれば、要約文抽出手段５０の出力する要約文を直接又は間接的に入力すれば、作詞作曲することを機械化して無人対応できる。
【００７５】
なお、自動作詞するために用いる作詞パラメータは、心理分析手段４０が出力する文章断片又は単語を歌詞生成用データとして用いる。さらに作曲手段７０に到っては、作詞手段６０の出力する完成された詩歌に適合する音節になるように、楽器音等の選択さえすれば、いかようにも作曲する作曲プログラムがあり、その旨は周知であるので、説明を要しないが、心理分析手段４０によりマークしておいた「フォークソング」を「作曲パラメータ」として用いれば、対象者１のイメージ通りに「自分の歌（マイソング）６」が完成する。
【００７６】
更に、作成した楽曲が収録されたＣＤ等の物理的記憶媒体の作成を簡易に行えるように、通信ネットワークを介してクライアントに接続されるサーバ装置（図示せず）が、対象者１がイメージした通りに固有の創作楽曲のファイルとしてマイソング６を物理的記憶媒体に記録する手段を具備しており、この作成した物理的記録媒体を対象者１に提供する。
【００７７】
図４は、本発明に係るコミュニケーション障害治療支援システム１００の実行手順を示すフローチャートであり、まず、対象者１に応じてコミュニケーション手段１０を選択するコミュニケーション手段選択段階Ｓ１から開始する。すなわち、対象者１にとってインターネット４の利用が困難であると施術者が判断すれば、直に面談すればよい。次に対象者１の状態と本人の希望によりメニュー２０を選択するメニュー選択段階Ｓ２を実行する。
【００７８】
適当なコミュニケーション手段１０によりメニュー２０に沿って対象者１のエピソード等を聞き出す問診段階Ｓ３を実行する。そして、問診手段３０により聞き出したエピソード５を分析することにより、対象者１の心にある「こだわりの感情」を解明する心理分析段階Ｓ４に到り、次いで前記「こだわりの感情」を対象者１に自覚させるキーワード及び／又は要約文を前記エピソードの中から抽出する要約文抽出段階Ｓ５を実行する。
【００７９】
要約文抽出手段５０により抽出されたキーワード及び／又は要約文により作詞する作詞段階Ｓ６で、同一又は類似の音韻を定位置に反復させるように韻を踏んだ詞歌が作詞手段６０により作詞される。この詩歌は、対象者１のエピソード等を反映している。この詩歌に適合させて作曲する作曲段階Ｓ７により対象者１のイメージ通りにメロディーのついたマイソング６が完成する。
【００８０】
このマイソング６を、対象者１及び／又は関係者が聞き、あるいは歌うことにより、「こだわり感情」をより明確に、かつ心地よく、繰り返して自覚を促すことができるので、対象者１は、コミュニケーション障害の原因が何であったかを自覚し、対象者自身にあった「こだわり感情」が薄れ、周囲の共感を呼び起こす等により、抵抗無く解消できるのである。
【００８１】
そうすると、「感情的なこだわり」が絡んで行き詰まった状態が解消するばかりでなく、対象者１にストレス対処法や、自分の感情や問題点を言葉にする方法、すなわち、対象者１が自ら問題点を解決する技術を身に付けるように仕向けることができる。
【００８２】
このようにして、対象者１の症状に応じて最適に選択されたメニュー２０を実行することにより、臨床心理士等の専門家でなくとも、簡単な訓練を受けた施術者が本システム１００を用いるか、又は完全に無人化した施術サーバ９０によって、対象者１のコミュニケーション障害の治療を支援することが可能であり、社会問題化するほど多数の人が罹患したコミュニケーション障害の治療を促進できる。
【００８３】
さらに、この種の心理カウンセリング・精神治療の手段及び効果に対する偏見、誤解、不信感もあるとすれば、より拒絶反応が少なく一般受けするような、例えば「作詞作曲請負業」といった別業種による実施形態に伴う副次効果を得るようにすることも可能である。又、マイソング６をＣＤにする商業を実施したいのであれば、そのような実施の形態であってもかまわない。
【００８４】
なお、本発明は、全段階にわたる全て、もしくは部分的に、適宜人に置き換えて実施することも可能であり、その場合も、本発明に含まれるものと見なし得る。
又、図３に基づいて前記した問診表の該当枠内に対象者１の氏名、生年月日、生い立ち、特に「体験エピソード」を記入できる程度に、対象者から要領よく問診することが望ましいが、図３に示した問診表に限定する必要もなく、最適の形式に改善すればよい。
【００８５】
以下、本発明がコミュニケーション障害治療の支援に適用されて奏効した経過記録の３例を、《効果的な適用例１〜３》として、対象者名を仮名とする以外は、ほぼ原文のままに例示する。３例ともに、施術者が対象者１に問診した内容に基づいて、対象者１のコミュニケーション障害の原因である「こだわり感情」がうまく抽出できた結果、弊害をもたらしていた「こだわり感情」を自力で解消する自浄作用のあるマイソング６を作詞作曲して対象者１に提供することにより、コミュニケーション障害の治療に役立てたことが立証された。
【００８６】
《効果的な適用例１》
以下、対象者１のエピソード５を記載する。
僕は昭和５７年４月５日に立花良次として生まれました。
父の名前は杉本健二、母は立花美代といいます。
【００８７】
僕の家族は、普通の家族と違う点がいくつかあります。それは、父と母の名字が違う事、母が心身障害を持っている事、父が酒乱でお酒に明け暮れ働きもせずに家にいる事です。父は全ての事を母のせいにして、何かがあると母に対して暴力をふるいます。上手く気持ちを伝えることが出来ず、２人はケンカばかりしていました。
【００８８】
そんなある日、父が母の首を締めるという事件が起こりました。僕がまだ幼い頃の事です。その場に居合わせた僕は気が動転してしまい、とっさに、お風呂でよく使われているかきまぜ棒で父の背中を思いきり殴りました。僕に殴られた父は暴れるのを止め、その場は落ち着きました。
【００８９】
こういった出来事が、きっと僕の心の中に傷として残っているのだと思います。小・中・高と学校生活はあまり良いものではありませんでした。小学校では母の事を馬鹿にされ、その友人を傷つけたりしていたし、中学では誤った事ばかりして、せっかく入った高校は中退して職人の仕事をしました。
【００９０】
女性にも騙され深く傷ついたのに、何故か僕自身もその女性の友人を傷つけるような事をしてみたり…。それだけではなく、その頃の僕は家族や僕自身の心までも傷つけていました。傷害や覚醒剤などで警察に捕まり、暗い留置所で１ヶ月間留置されたのです。その間、僕は何もかも見失い、何も考えられず感情的になり、いろんな人を困らせていました。
【００９１】
それでも母は僕の知らない所で、何度も警察に「いつ出られるのか？」と、泣きながら聞いていたそうです。そして１ヶ月がたち、少年鑑別所に移動してさらに数日過ぎた頃、父と母が２人で面会に来てくれました。母は泣いていました。
【００９２】
その時、僕の目の前で思いきり泣いている母を見て、僕の心に何かが響いてきました。何かは分かりませんが、何かを“やらなきゃ！”という漠然とした気持ちでした。
【００９３】
その後も、母の姿を見ていると、自然とその気持ちが強くなっていったのです。心の中で何かが変わった僕は、アクターズスクールに通いました。１８歳の頃です。そこで僕は大川真一という１７歳の青年に出会いました。彼は今まで僕の周りにいた人達とは何かが違っていて、彼と出会ったことで僕の人生が大きく変わろうとしているのが分かりました。僕達はどんどん仲良くなっていきました。
【００９４】
ある日、彼に「良次君の夢って何ですか？」と聞かれ、たいして夢など持っていない僕は「お前はどうなの？」と聞き返しました。彼は「僕はユニセフの子供達の為に、僕がダンスで稼いだお金で学校を設立したいんだ。」と言いました。それを聞いた時、障害者の母を持つ人間として、差別のない世界を作っていきたいという気持ちが僕の中に生まれました。
【００９５】
僕はあてを探して、ボランティアセンターに行ってみたり、学校の先生方に聞いたりしてやっとの事で、介助員として僕が卒業した中学校で働かせてもらえる事になりました。大川真一君も一緒です。初日はドキドキする中、懐かしさを覚えながら卒業した中学校の門をくぐり、学校へと入っていきました。
【００９６】
僕達が担当する子と初めて顔合わせをした時、その子はどこか淋しそうな、不安そうな表情で僕達のことを見つめていました。今思えば、生きる希望を無くしてしまったような、そんな表情でした。その時僕は、以前、母の姿を見て何かを“やらなきゃ！”と思った事を思い出し、母の事もその子の事も、僕が必ずやり遂げると心に決めました。
【００９７】
そして2日目、その子は恥ずかしがっているのか、ずっとトイレに行こうとせずガマンしているのです。その日は切ない気持ちでその子が家に帰るのを見送りました。
【００９８】
その子が帰った後、僕は１人でその子を紹介してくれた先生に相談しました。僕は不安だったのですが、先生から「その子は人一倍人見知りが激しいから、なるべく良次から話をしてやってくれ」と聞き、原因が分かったので安心しました。
【００９９】
翌日、体育の授業があったのですが、その子は教室の机で淋しそうな顔でボーッとしていたので、僕達は２人で「外に出て一緒にリハビリしようよ」と話しかけました。その子はほんの少し笑顔を見せてうなずきました。
【０１００】
蒸し暑い季節の中、僕達３人は最初、校庭のベンチで座っていたのですが、僕はその子に少し歩いてみようよと誘ってみました。その子は笑顔で楽しそうに一緒に歩いてくれました。その時僕は、その子に初めて近づけた気がして、とても嬉しかったのです。
【０１０１】
その夜、大川君と2人で、何か僕達のキャッチフレーズを考えようと話し合い、次の言葉が決まりました。
【０１０２】
“君に送る夢  君から貰う勇気  We are shining dream"
【０１０３】
そして、今２人が見ている子のために歌を歌ってあげようということになり、それから２週間位かけて練習して、その子に聞かせてあげる事が出来ました。
【０１０４】
歌が終わった時、その子は僕達に少し涙を流しながらありがとうと言ってくれました。それから２・３日が過ぎた頃、魔が差してしまったのでしょう、僕は他の友人と２人で車を窃盗する罪を犯してしまったのです。
【０１０５】
そして、本当に申し訳ないという気持ちで一杯になりました。１ヵ月後の審判の時、裁判官に「貴方の気持ちに嘘をつかないで、正直な貴方で生きれば必ず大きい人になります。」と言われました。
【０１０６】
その直後に、また僕の人生を変えるような出会いがありました。ファミリーレストランでお茶を飲んでいたら、近くの席でボランティアの話をしている人がいたので、僕はつい大きい声を出して、「僕もやってますよ！」と話しかけたのです。
【０１０７】
その出会いがこの曲を作るきっかけになりました。その後、父の杉本健二が亡くなり、亡くなった後に僕の本当の父ではなかった事がわかりました。
【０１０８】
さらに、その直後に僕の本当の父も亡くなりました。残されたのは、障害を持つ母と僕の２人です。
【０１０９】
今僕は、自分に何が出来るかはまだ分かりませんが、母や、ボランティアで出会った子のような人達に、何かをしてあげたいと強く思っています。
【０１１０】
このような背景のなかで、不遇な境遇に傷つき悩み、過ちを犯した青年（本発明にいう「対象者」）立花良次が、生き方を変え、人のために何かをしようと誓った時、心の底から湧いてきた決意をもとに、以下に示す「翼」という題のマイソングが生まれた。
【０１１１】
ここで、本システム１００を用いた動作を簡単に説明する。問診手段３０により前記エピソード５を聞き出し、心理分析手段４０及び要約文抽出手段５０を用い、２０歳過ぎたばかりの対象者１の生い立ち等をうかがい知るキーワードとして、「母が心身障害」、「父が酒乱」「父が母の首を締めるという事件が起こりました。僕がまだ幼い頃の事です。」、「僕の心の中に傷」、「・・・」、「・・・」を抽出する。
【０１１２】
要約文抽出手段５０により抽出された前記キーワードから連想される「心のキズ」、「幼き景色」、「はるか輝く  未来へとたどり着けるんだ」、「傷ついたこの翼で」の文言を用いた作詞を作詞手段６０により実行する。
【０１１３】
実際に出力される「翼」という題のマイソング歌詞カードは図５に示すとおりである。なお、ここで曲の譜面は掲載を省略している。
【０１１４】
原案；立花良次、作詞；木村壽孝、作曲；木村壽孝、編曲；木村壽孝、歌唱；立花良次
【０１１５】
許されるなら  この大空を
力の限り  飛んでみたいんだ
【０１１６】
誰にでもある  心のキズは
雨に癒され  虹を描いた
【０１１７】
脱ぎ捨てた  破れた靴
曇り空のぞく太陽へ
【０１１８】
流れ  流れて  翼にまかせ
僕はまばゆい  世界へ行くんだ
想い  想いの  光を探し
はるか輝く  未来へとたどり着けるんだ
【０１１９】
出口も見えない  長いトンネル
迷い続けた  幼き景色
【０１２０】
やさしい言葉に  かみついた日々
うずくまる夜  枯れ果てた涙
【０１２１】
投げ捨てた  孤独な日々
どしゃぶりの雨をかきわけて
【０１２２】
流れ  流れて  星を数えて
いつか溢れる  愛に出会えるんだ
吹かれ  吹かれる  やさしい風に
僕は手を振り  未来への旅に急ぐんだ
【０１２３】
流れ  流れて  翼にまかせ
僕はまばゆい  世界へ行くんだ
想い  想いの  光を探し
はるか輝く  未来へとたどり着けるんだ
傷ついたこの翼で
【０１２４】
《効果的な適用例２》
私は幼いころから母と衝突ばかりしていました。自分ばかり叱られ、母には反感を覚えるばかりで、そんな家が嫌になり１０代の頃家を飛び出し、それ以来帰っていません。
【０１２５】
今、２８歳になって、私もいろんな人と出会い、様々な経験をしてきました。そして、少しずつわかってきた気がするのですが、あの頃は自分の考えが子供だったのだと思います。
【０１２６】
そのことにもう少し早く気付いていれば、今とは違う人生もあったのではないかと考えることもあります。
【０１２７】
とはいえ、私はまだまだ子供で、これからもっとたくさん学びながら成長して行かなければと思っています。今までの過去をしっかりと踏まえた上で、これからの人生に対する希望をもって歩んでいきたいと思います。
【０１２８】
このような背景のなかで、１０代で家を飛び出して、気がつけば２８歳…。これまでの生き方を見つめ直し、希望と勇気をもって、新たな一歩を踏み出すために自分自身へ贈る歌。以下に示す「２８」という題のマイソングが生まれた。
【０１２９】
ここで、本システム１００を用いた動作を簡単に説明する。問診手段３０により前記エピソード５を聞き出し、心理分析手段４０及び要約文抽出手段５０を用い、２８歳になった対象者１の生い立ち等をうかがい知るキーワードとして、「母と衝突」、「母に反感」、「十代の頃家を飛び出し」、「あの頃は自分の考えが子供だった」、「気がつけば２８歳」、「これからの人生に対する希望をもって歩んでいきたい」、「・・・」を抽出する。
【０１３０】
要約文抽出手段５０により抽出された前記キーワードから連想される「素直になれない自分にほろり」、「なんだか勇気  わいてきた」の文言を用いた作詞を作詞手段６０により実行する。
【０１３１】
実際に出力される「２８」という題のマイソング歌詞カードは図６に示すとおりである。なお、ここで曲の譜面は掲載を省略している。
【０１３２】
原案；上田美由紀、作詞；ＡＫＫＯ、作曲；cochichi、編曲；cochichi、歌唱；美優永
【０１３３】
暴風雨（あらし）の中  飛び出したあの頃
傷ついて  迷って  泣きながら歩いてた
ひとりぼっち
【０１３４】
思い出せば
素直になれない自分に  ほろり
【０１３５】
たくさん降った雨  みんな  どこに行ったの
痛いくらい吹いた風  みんな  どこに行ったの
ちょっとだけ  寒いことに気がついた
まだ道の途中
【０１３６】
両手で包んだコーヒーカップに浮かんだ月
のみほした
少しの勇気  わいてきた
【０１３７】
ありがとうも  ゴメンネも
言えなかった言葉とか  こらえてた涙とか
ぜんぶ  ぜんぶ  歌にして
あなたに届け
【０１３８】
ふり返れば
素直になれない自分に  ほろり
【０１３９】
今までどうだったのか  なんて  悩んでみたり
これからどうなるのか  なんて  迷ってみたり
ちょっとだけ  立ち止まってみたりする
まだ道の途中
【０１４０】
ゆるんでほどけた靴のひもを結んだあと
空を見た
なんだか勇気  わいてきた
【０１４１】
もう一度って  踏み出した
忘れていた笑顔とか  見ないふりしてたこと
ぜんぶ  ぜんぶ  歌にして
歩いていこう
あなたに届け
【０１４２】
《効果的な適用例３》
１９７７年６月３日  茨城県新治郡八郷町に生まれる。
父  増雄    母  木綿子の長男となる。
【０１４３】
幼き日から内気で周りに溶け込めずに生きてきた。
小学校時代  人目が気になり暗かった。
お金がないためジャージもなかなか買ってもらえなかった。
心臓の病気と言うのもあり背も低く、体も弱かった。
【０１４４】
そのころから、自分は人とは違うんだ、変わっているんだ。と決めつけてた。
中学に入り性格も変わらず、家庭に精神障害の人がいるため、ある意味、有名だった。
成績も下の下だった。毎日遅刻してた。
もう、自分の人生は決まっているんだとあきらめていた。
どうせみんなには解からない自分の気持ち、だから、あたりさわりなく付き合い、流されるままに生きてきた。
【０１４５】
高校もみんなが行くから行ったようなものだ。
弱いから、パシリ的なこともあった。
いつもいつも悔しかったがやり場がなかった。家庭も恨んだし自殺願望もあった。
【０１４６】
高校卒業して、車が好きでガソリンスタンドに入社した。
毎日、繰り返しの生活  ノイローゼになって、３ヶ月でやめた。
【０１４７】
自分の未来ってなに？  人生って何？
退社してから、毎日、部屋に閉じこもりの日が繰り返した。
毎日、悲しい歌を聞いていた。
【０１４８】
ただ生きているだけ、生かされているだけ、どれだけ、
自分が苦労すれば人に同情してもらえるのか？  偽善者なのかもしれない、「自分は、みんなと違うんだ」  「自分は、いい人間だ」  って  自分に酔っていたかもしれない。
【０１４９】
なにも出来ない自分がいて、情けなくて、許せなくて、本当は、自分が救われたいだけと想ってた。
【０１５０】
人に認められたい、カッコよくなりたい、みんなを見返したい、強くなりたい。という気持ちが強くなり、モデルか芸能界を目指すようになった。
【０１５１】
自分が変わるため、いろいろ試した。
伸長法、頭脳開発、心のメカニズム、美容法、哲学、健康  人と違うことをすれば目立つかな？
【０１５２】
しばらくたって、気持ちも冷めてきた。その後バイトで出会った、勇気君と正充君と遊んで明るくなってきた。
【０１５３】
一緒に馬鹿に付き合ってくれる、本当にうれしかった。
その後、ネットワークビジネスに出逢い、「この仕事こそ自分のものだ」とやり始めたが、完璧主義のため、疑問が出てきて、５０社以上サインしたが、どれも中途半端に終わる。
【０１５４】
その中で、本願発明の出願人・発明者である青木さん、そして藤田君に出会うことができた。借金も重なり、しばらく、逃亡生活をした。本当に家族や周りを心配させた。
【０１５５】
このようなかで、何をやってもうまくいかず、諦めかけていた人生も、リセットしてゼロから始めれば、可能性は開けるはず…。未来を信じて新しい一歩を踏み出す旅立ちの歌として、以下に示す「リセット」という題のマイソングが生まれた。
【０１５６】
ここで、本システム１００を用いた動作を簡単に説明する。問診手段３０により前記エピソード５を聞き出し、心理分析手段４０及び要約文抽出手段５０を用い、２０歳になったばかりの対象者１の生い立ち等をうかがい知るキーワードとして、「幼き日から内気で周りに溶け込めずに生きてきた」、「自分は人とは違うんだ、変わっているんだ。」、「家庭に精神障害の人がいるため、ある意味で有名だった。」、「家庭も恨んだし自殺願望もあった。」、「ノイローゼになって、３ヶ月でやめた」、「悲しい歌」、「・・・」を抽出する。
【０１５７】
要約文抽出手段５０により抽出された前記キーワードから連想される「マイナス志向」、「人とは違う」、「可能性は無限なんだ」、「Ｒｅｓｅｔ」の文言を用いた作詞を作詞手段６０により実行する。
【０１５８】
実際に出力される「リセット」という題のマイソング歌詞カードは図７に示すとおりである。なお、ここで曲の譜面は掲載を省略している。
【０１５９】
これからは、マイソング「リセット」を歌うことにより、自分をはげましながら自立して、人のためになることをやり遂げたい。
【０１６０】
原案；安西清徳、作詞；しのざきあん、作曲；cochichi、編曲；cochichi、歌唱；SHU
【０１６１】
なげやりな生き方  マイナス志向
何をやっても  うまく行かない
「人とは違う」と言い訳をして
あきらめて  流されて  きたけれど
【０１６２】
友達と呼べる人達  そうさ  きっとこれからも
大切な出逢いがあるはずさ  それはすべて貴重な財産になる
【０１６３】
※  可能性は無限なんだ  迷った時間もムダじゃないさ
可能性は無限なんだ  誰もが同じく持てる夢
可能性は無限なんだ  一歩踏み出すために  今
ここまでの自分をＲｅｓｅｔ
※  くり返し
【０１６４】
輪郭がぼやけた  ドアを見つめる
もがき続けて  やっと見つけた
この手を伸ばせば  何か掴める
潰される  直前に  飛び出すのさ
【０１６５】
特別と言える誰かと  いつか  きっと巡り合う
分かち合う  喜び悲しみは  愛と呼べる貴重な財産になる
【０１６６】
可能性は無限なんだ  消したい過去さえチャンスになる
可能性は無限なんだ  信じる未来が味方になる
可能性は無限なんだ  一歩踏み出すために  今
ここまでの自分をＲｅｓｅｔ
【図面の簡単な説明】
【０１６７】
【図１】本発明に係るコミュニケーション障害治療支援システムの構成図である。
【図２】パソコンの表示装置に表示されたメニューの画面図である。
【図３】パソコンの表示装置に表示された問診表の画面図である。
【図４】本発明に係るコミュニケーション障害治療支援システムの実行手順を示すフローチャートである。
【図５】「翼」という題のマイソング歌詞カードである。
【図６】「２８」という題のマイソング歌詞カードである。
【図７】「リセット」という題のマイソング歌詞カードである。
【符号の説明】
【０１６８】
１  対象者
２  依頼者
３  依頼者端末（パソコン）
４  インターネット
５  エピソード
６  マイソング
７  記憶装置
８  入出力装置
９  処理装置
１０  コミュニケーション手段
２０  メニュー（メニュー提示プログラム）
３０  問診手段（問診表作成プログラム）
４０  心理分析手段（感情認識プログラム）
５０  要約文抽出手段（要約文作成プログラム）
６０  作詞手段（作詞プログラム）
７０  作曲手段（作曲プログラム）
９０  施術サーバ
１００  コミュニケーション障害治療支援システム
【図１】
2005122240.tif 000003
【図２】
2005122240.tif 000004
【図３】
2005122240.tif 000005
【図４】
2005122240.tif 000006
【図５】
2005122240.tif 000007
【図６】
2005122240.tif 000008
【図７】
2005122240.tif 000009